(57)【要約】【課題】押釦部材における押圧操作が可能な範囲を広く確保すること。【解決手段】正面パネル３の正面側を覆って配置される押釦部材４Ａと、押釦部材４Ａの一側から延びて設けられて正面パネル３の正面側を覆い正面パネル３の外形に沿って配置される支持部材４Ｂと、支持部材４Ｂの延びた端部に設けられて正面パネル３に取り付けられる取付部材４Ｃと、押釦部材４Ａが押圧操作された際の反力を生じる弾性部材（弾性部４Ｄ，弾性片３Ｇ）と、を備える。【選択図】図３
2020194690.tif 000002
【特許請求の範囲】
【請求項１】
正面パネルの正面側を覆って配置される押釦部材と、
前記押釦部材の一側から延びて設けられた支持部材と、
前記支持部材の延びた端部に設けられて前記正面パネルに取り付けられる取付部材と、
前記押釦部材が押圧操作された際の反力を生じる弾性部材と、
を備える、押釦構造。
【請求項２】
前記弾性部材は、前記押釦部材の背面側の複数箇所に設けられている、請求項１に記載の押釦構造。
【請求項３】
前記取付部材は、前記押釦部材への押圧操作に伴い前記支持部材の移動を可能に前記正面パネルに対して取り付けられており、前記支持部材と前記正面パネルとの間には、前記支持部材を正面側に向けて弾性力により付勢する付勢部が設けられている、請求項１または２に記載の押釦構造。
【請求項４】
前記押釦部材および前記支持部材は、前記正面パネルの外形に沿って配置されている、
請求項１から３のいずれか１項に記載の押釦構造。
【請求項５】
前記取付部材は、前記正面パネルの正面側から挿入して取り付けられる、請求項１から４のいずれか１項に記載の押釦構造。
【請求項６】
前記押釦部材および前記支持部材の外周に沿って前記正面パネルに向けて延びる第一遮光壁と、
前記正面パネルに設けられて前記第一遮光壁の内側に重なって配置される第二遮光壁と、
前記第二遮光壁に囲まれて設けられた光源と、
前記押釦部材に設けられて前記光源が照射した光を透す透光部と、
を備える、請求項１から５のいずれか１項に記載の押釦構造。
【請求項７】
請求項１から６のいずれか１項に記載の押釦構造を備える、電子機器。
【発明の詳細な説明】
【技術分野】
【０００１】
本発明は、押釦構造および電子機器に関する。
【背景技術】
【０００２】
例えば、特許文献１に開示されている電子機器の押釦構造は、押釦部材の上縁に弾性ヒンジ片部が設けられ、下縁に係止爪部が設けられており、弾性ヒンジ片部が機器ケーシングに取り付けられ、係止爪部が機器ケーシングの被係止部に係合されて、押釦部材の押圧操作が可能に構成されている。
【先行技術文献】
【特許文献】
【０００３】
【特許文献１】特開２００６−１２７７７８号公報
【発明の概要】
【発明が解決しようとする課題】
【０００４】
特許文献１では、押圧操作の支点である弾性ヒンジ片部が押釦部材に設けられているため、支点の位置で押圧操作されると、機器ケーシング内のスイッチを押す押圧操作ができないおそれがある。従って、押釦部材において押圧操作の範囲が狭く操作がし難い。
【０００５】
本発明は、押釦部材における押圧操作が可能な範囲を広く確保することのできる、押釦構造および電子機器を提供することを目的とする。
【課題を解決するための手段】
【０００６】
上記の目的を達成するため、本発明の一態様の押釦構造は、正面パネルの正面側を覆って配置される押釦部材と、前記押釦部材の一側から延びて設けられた支持部材と、前記支持部材の延びた端部に設けられて前記正面パネルに取り付けられる取付部材と、前記押釦部材が押圧操作された際の反力を生じる弾性部材と、を備える。
【０００７】
上記の目的を達成するため、本発明の一態様の電子機器は、上述した押釦構造を備える。
【発明の効果】
【０００８】
本発明によれば、押釦部材の一側から支持部材が延びて設けられており、この支持部材が取付部材で正面パネルに取り付けられており、押釦部材を押圧操作する際の支点が取付部材の位置になり押釦部材の押圧操作の範囲の外側に存在する。また、弾性部材により、押釦部材が押圧操作された際の反力が得られる。この結果、押釦部材の押圧操作の範囲を押釦部材全体とすることができ、押圧操作の範囲を広く確保できる。
【図面の簡単な説明】
【０００９】
【図１】図１は、本発明の実施形態に係る電子機器を示す正面図である。
【図２】図２は、本発明の実施形態に係る押釦構造を示す分解斜視図である。
【図３】図３は、図１におけるＡ−Ａ線拡大断面図である。
【図４】図４は、図１におけるＢ−Ｂ線拡大断面図である。
【図５】図５は、正面パネルの一部拡大正面図である。
【図６】図６は、押釦部材の一部拡大背面図である。
【図７】図７は、押釦構造の動作図である。
【発明を実施するための形態】
【００１０】
以下、発明を実施するための形態（以下、実施形態という）につき図面を参照しつつ詳細に説明する。なお、下記の実施形態により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１１】
図１は、本実施形態に係る電子機器を示す正面図である。図２は、本実施形態に係る押釦構造を示す分解斜視図である。図３は、図１におけるＡ−Ａ線拡大断面図である。図４は、図１におけるＢ−Ｂ線拡大断面図である。図５は、正面パネルの一部拡大正面図である。図６は、押釦部材の一部拡大背面図である。図７は、押釦構造の動作図である。
【００１２】
図１および図２に示すように、本実施形態に係る電子機器１は、車両の内部に搭載される、例えば、ＡＶ（Audio  Visual）一体型のカーナビゲーション装置である。電子機器１は、表示パネル２と、正面パネル３と、操作部である押釦４と、回路基板５と、を有する。
【００１３】
表示パネル２は、矩形状に形成され、正面に表示面２Ａを有している。正面とは、オペレータが視る面であって、カーナビゲーション装置の場合は車内前方に配置されるため、車内の後方に向く面となる。表示面２Ａは、表示パネル２の矩形状よりも小さい矩形状をなしている。表示パネル２は、例えば、表示面２Ａが感圧式のタッチパネルが適用できる。
【００１４】
正面パネル３は、合成樹脂材により成形され、表示パネル２の周りを囲むように矩形状に形成されている。正面パネル３は、表示パネル２の周りを囲む矩形状の枠部３Ａと、枠部３Ａの内側において表示パネル２の表示面２Ａを開放する矩形状の窓部３Ａａと、を有している。
【００１５】
押釦４は、図１に示すように、正面パネル３の側部である図１における右側部であって、正面パネル３の正面側に配置されている。押釦４は、図２に示すように、押釦部材４Ａと、支持部材４Ｂと、取付部材４Ｃと、を有している。なお、本実施形態において、押釦４は、正面パネル３の側部であって図１における右側部において、上下に反転した構造で配置されており、構成は同様であるため、以下の説明では上側の押釦４について説明する。
【００１６】
押釦部材４Ａは、オペレータが押圧操作をする部分である。押釦部材４Ａは、図１および図２に示すように、正面パネル３の正面側を覆って配置される。押釦部材４Ａは、その外形が略矩形状に形成され、矩形状の正面パネル３の角部３Ｂの外形に沿うように配置される。即ち、押釦部材４Ａは、正面から見て正面パネル３の角部３Ｂの外形に一致して配置される。
【００１７】
支持部材４Ｂは、図１および図２に示すように、押釦部材４Ａの一側から延びて設けられている。支持部材４Ｂは、正面パネル３の上側の角部３Ｂに配置される押釦部材４Ａの下方に延びて設けられている。なお、支持部材４Ｂは、正面パネル３の下側の角部３Ｂに配置される押釦部材４Ａの上方に延びて設けられている。この支持部材４Ｂは、正面パネル３の正面側を覆い、正面パネル３の外形に沿って配置されている。本実施形態では、支持部材４Ｂは、図１に示すように、矩形状の正面パネル３の右端の外形に沿って配置されている。即ち、押釦部材４Ａが正面パネル３の角部３Ｂの外形に沿うように配置され、支持部材４Ｂが正面パネル３の側端の外形に沿うように配置されていることから、押釦部材４Ａおよび支持部材４Ｂを合わせた形状は、正面視でＬ字形状に形成されている。
【００１８】
取付部材４Ｃは、支持部材４Ｂの延びた端部に設けられている。取付部材４Ｃは、図２および図３に示すように、支持部材４Ｂの端部から背面側に延びる一対の棒部材４Ｃａの先端に鉤部４Ｃｂが形成されている。棒部材４Ｃａは、可撓性を有している。鉤部４Ｃｂは、一対の棒部材４Ｃａにおいて相反する側に形成されている。この取付部材４Ｃは、図２および図３に示すように、正面パネル３に正面側から背面側に貫通して形成された孔部３Ｃに正面側から棒部材４Ｃａが挿入され、当該孔部３Ｃの背面側の開口縁に対して鉤部４Ｃｂが係止して正面パネル３に取り付けられる。なお、取付部材４Ｃは、先端が回路基板５に形成された切欠５Ａに挿入される。この取付部材４Ｃにより、押釦部材４Ａおよび支持部材４Ｂが正面パネル３に取り付けられる。また、取付部材４Ｃは、鉤部４Ｃｂが孔部３Ｃの背面側の開口縁に係止しているため、正面側の移動を規制されているが、背面側には移動が可能に設けられている。背面側への移動は、孔部３Ｃの内壁に対して各棒部材４Ｃａが摺動して案内される。
【００１９】
本実施形態の押釦構造は、上述した押釦４に加え、弾性部４Ｄと、付勢部４Ｅと、第一遮光壁４Ｆと、第二遮光壁３Ｆを有している。
【００２０】
弾性部４Ｄは、弾性部材を構成するもので、正面パネル３に設けられている。弾性部４Ｄは、図３から図５に示すように、押釦部材４Ａの背面側において、正面パネル３に形成された受部３Ｄに取り付けられている。弾性部４Ｄは、ゴム材や、合成樹脂材や、スポンジなどで立方形状に形成されている。また、押釦部材４Ａの背面側には、図３から図６に示すように、弾性部４Ｄに当接する当接部４Ａａが設けられている。当接部４Ａａが弾性部４Ｄに当接した状態において、押釦部材４Ａは、背面側に押圧操作が可能に設けられる。そして、図７に示すように、押釦部材４Ａの背面側への押圧操作において、当接部４Ａａが弾性部４Ｄを押圧する。押圧された弾性部４Ｄは、当接部４Ａａと受部３Ｄとの間で変形した弾性力により押釦部材４Ａを正面側に戻す反力を生じる。なお、弾性部４Ｄは、押釦部材４Ａの当接部４Ａａに設けられていてもよく、即ち、押釦部材４Ａと正面パネル３との間に設けられていればよい。
【００２１】
付勢部４Ｅは、正面パネル３に設けられている。付勢部４Ｅは、図３および図５に示すように、支持部材４Ｂの背面側において、正面パネル３に形成された受部３Ｅに取り付けられている。付勢部４Ｅは、ゴム材や、合成樹脂材や、スポンジなどで立方形状に形成されている。また、支持部材４Ｂの背面側には、図３および図６に示すように、付勢部４Ｅに当接する当接部４Ｂａが設けられている。当接部４Ｂａが付勢部４Ｅに当接した状態において、背面側に移動が可能な支持部材４Ｂは、付勢部４Ｅにより正面側に向けて弾性力により付勢される。そして、図７に示すように、支持部材４Ｂは、押釦部材４Ａが背面側に押圧操作された場合、当接部４Ｂａと受部３Ｅとの間で変形した付勢部４Ｅの弾性力により正面側に付勢されながら背面側への移動を許容される。なお、付勢部４Ｅは、支持部材４Ｂの当接部４Ｂａに設けられていてもよく、即ち、支持部材４Ｂと正面パネル３との間に設けられていればよい。
【００２２】
第一遮光壁４Ｆは、押釦部材４Ａおよび支持部材４Ｂに設けられている。第一遮光壁４Ｆは、図３、図４および図６に示すように、押釦部材４Ａおよび支持部材４Ｂの外周（外形）に沿って正面パネル３に向けて背面側に延びて設けられている。即ち、第一遮光壁４Ｆは、押釦部材４Ａおよび支持部材４Ｂの外縁が正面パネル３に向けて背面側に湾曲または屈曲して延びて形成されている。
【００２３】
第二遮光壁３Ｆは、図２から図５に示すように、押釦部材４Ａおよび支持部材４Ｂにより覆われる正面パネル３の正面側において、押釦部材４Ａおよび支持部材４Ｂに向けて正面側に延びて設けられている。第二遮光壁３Ｆは、押釦部材４Ａおよび支持部材４Ｂが正面パネル３の正面側を覆って設けられたとき、第一遮光壁４Ｆの内側に沿って重なって配置される。特に、押釦部材４Ａで覆われる正面パネル３の正面側に設けられた第二遮光壁３Ｆは、図２および図５に示すように、正面視で環状に配置されている。なお、上述した弾性部４Ｄは、図２、図４および図５に示すように、環状に配置された第二遮光壁３Ｆに囲まれた内側に配置されている。弾性部４Ｄは、第二遮光壁３Ｆに囲まれた内側であって第二遮光壁３Ｆに囲まれた入隅部であって、図５における右下側の入隅部に偏って配置されている。
【００２４】
環状に配置された第二遮光壁３Ｆに囲まれた内側には、図４および図５に示すように、回路基板５に実装された光源６が正面視で臨めるように設けられている。また、押釦部材４Ａは、正面視で第二遮光壁３Ｆに囲まれた範囲に対応する図５に二点鎖線で囲んだ部分に、図４に示すように光源６が照射した光Ｌを透す透光部４Ａｂが形成されている。従って、光源６が照射した光Ｌは、押釦部材４Ａの透光部４Ａｂを透って正面側に照射され、オペレータに認識される。なお、弾性部４Ｄは、第二遮光壁３Ｆに囲まれた入隅部に偏って配置されていることから、押釦部材４Ａの透光部４Ａｂから透る光Ｌを極力遮らない。また、光源６が照射した光Ｌは、第二遮光壁３Ｆに囲まれた内側で照射範囲を絞られる。また、光源６が照射した光Ｌは、第二遮光壁３Ｆと第一遮光壁４Ｆとの重なりにより遮られ、押釦部材４Ａの外縁から漏れが防止される。
【００２５】
ところで、正面パネル３において、図２、図４および図５に示すように、環状に配置された第二遮光壁３Ｆに囲まれた内側であって押釦部材４Ａの背面側に、弾性部４Ｄと共に弾性部材を構成する弾性片３Ｇが形成されている。弾性片３Ｇは、第二遮光壁３Ｆに囲まれた内側に片持ち状に延びた棒状に形成されている。また、弾性片３Ｇは、第二遮光壁３Ｆに囲まれた範囲において、弾性部４Ｄから遠い位置であって、弾性部４Ｄが設けられた右下側とは相反する左下側に設けられている。この弾性片３Ｇに対し、押釦部材４Ａには、弾性片３Ｇの正面側で対向するように、押圧片４Ａｄが設けられている。押圧片４Ａｄは、押釦部材４Ａの背面側への押圧操作において、弾性片３Ｇを背面側に押圧する。押圧された弾性片３Ｇは、変形した弾性力により押釦部材４Ａを正面側に戻す反力を生じる。従って、弾性片３Ｇを備えることにより、弾性部４Ｄによる反力を助勢することができ、押釦部材４Ａの押圧操作が可能な範囲において、十分に反力を生じさせ、押圧操作の押圧感をオペレータに与えることができる。なお、弾性片３Ｇは、棒状に形成されていることから、押釦部材４Ａの透光部４Ａｂから透る光Ｌを極力遮らない。
【００２６】
回路基板５は、正面パネル３の背面側に配置されている。回路基板５は、図３から図５に示すように、正面側にスイッチ素子７であるタクトスイッチが実装されている。スイッチ素子７は、図５に示すように、環状に配置された第二遮光壁３Ｆに囲まれた内側において正面視で臨めるように配置されている。従って、スイッチ素子７は、正面視で押釦部材４Ａの透光部４Ａｂが設けられた範囲内に配置されている。なお、押釦部材４Ａは、図３、図４おおび図６に示すように、スイッチ素子７の正面側で対向するように、背面側に延びて形成された作動片４Ａｃが設けられている。従って、スイッチ素子７は、図７に示すように押釦部材４Ａが押圧操作されたときに、作動片４Ａｃに押圧されて作動される。
【００２７】
以上説明したように、本実施形態の押釦構造は、正面パネル３の正面側を覆って配置される押釦部材４Ａと、押釦部材４Ａの一側から延びて設けられて正面パネル３の正面側を覆い正面パネル３の外形に沿って配置される支持部材４Ｂと、支持部材４Ｂの延びた端部に設けられて正面パネル３に取り付けられる取付部材４Ｃと、押釦部材４Ａが押圧操作された際の反力を生じる弾性部材（弾性部４Ｄと弾性片３Ｇとの少なくとも一方）と、を備える。
【００２８】
この押釦構造によれば、押釦部材４Ａの一側から支持部材４Ｂが延びて設けられており、この支持部材４Ｂが取付部材４Ｃで正面パネル３に取り付けられている。このため、押釦部材４Ａの一側から延びた支持部材４Ｂと、支持部材４Ｂを正面パネル３に取り付ける取付部材４Ｃとにより、押釦部材４Ａを押圧操作する際の支点が取付部材４Ｃの位置になり押釦部材４Ａの押圧操作の範囲の外側に存在する。また、弾性部材により、押釦部材４Ａが押圧操作された際の反力が得られる。この結果、押釦部材４Ａの押圧操作の範囲を押釦部材４Ａ全体とすることができ、押圧操作の範囲を広く確保できる。
【００２９】
また、本実施形態の押釦構造では、弾性部材は、弾性部４Ｄおよび弾性片３Ｇを含み、押釦部材４Ａの背面側の複数箇所に設けられている。
【００３０】
この押釦構造によれば、押釦部材４Ａの広い範囲で押圧操作の反力を生じさせることができ、押釦部材４Ａの広い範囲で押圧操作の操作感をオペレータに付与できる。
【００３１】
また、本実施形態の押釦構造では、取付部材４Ｃは、押釦部材４Ａへの押圧操作に伴い支持部材４Ｂの移動を可能に正面パネル３に対して取り付けられており、支持部材４Ｂと正面パネル３との間には、支持部材４Ｂを正面側に向けて弾性力により付勢する付勢部４Ｅが設けられている。
【００３２】
例えば、取付部材４Ｃが正面パネル３に固定されて支持部材４Ｂの移動が不能な場合、押釦部材４Ａへの押圧操作の際に支持部材４Ｂを撓ませることが必要であり、押圧操作の操作感が重くなってしまう。この点、この押釦構造によれば、取付部材４Ｃにより支持部材４Ｂが移動可能に設けられ、支持部材４Ｂと正面パネル３との間に付勢部４Ｅが設けられているため、押釦部材４Ａへの押圧操作の際に支持部材４Ｂを撓ませることがなく押圧操作を行うことができ、付勢部４Ｅの弾性力により操作感を軽くできる。
【００３３】
また、本実施形態の押釦構造では、押釦部材４Ａおよび支持部材４Ｂは、正面パネル３の外形に沿って配置されている。
【００３４】
支持部材４Ｂを押釦部材４Ａの一側から延ばした構造とすると、押釦部材４Ａに加えて支持部材４Ｂが正面パネル３の正面に現れるため見栄えが損なわれてデザイン性が低下する。この点、この押釦構造によれば、押釦部材４Ａおよび支持部材４Ｂを正面パネル３の外形に沿って配置することで、押釦部材４Ａの押圧操作の機能を得ることに加え、支持部材４Ｂを正面パネル３の外縁の一部のように現すことで見栄えを良くしデザイン性を向上できる。
【００３５】
また、本実施形態の押釦構造では、取付部材４Ｃは、正面パネル３の正面側から挿入して取り付けられる。
【００３６】
具体的に、取付部材４Ｃは、支持部材４Ｂから背面側に延びる一対の棒部材４Ｃａの先端に鉤部４Ｃｂが形成されており、正面パネル３に形成された孔部３Ｃに正面側から挿入して孔部３Ｃの背面側の開口縁に鉤部４Ｃｂが係止して正面パネル３に取り付けられる。このように、取付部材４Ｃを正面パネル３の正面側から挿入して取り付けることで、簡素な構成で、かつ取り付けが容易である。例えば、取付部材４Ｃを正面パネル３の背面側から取り付ける場合は、取付部材４Ｃを固定するためのフランジなどの構成を正面パネル３に余分に設けることとなり、構造が複雑化してしまう。
【００３７】
また、本実施形態の押釦構造では、押釦部材４Ａおよび支持部材４Ｂの外周に沿って正面パネル３に向けて延びる第一遮光壁４Ｆと、正面パネル３に設けられて第一遮光壁４Ｆの内側に重なって配置される第二遮光壁３Ｆと、第二遮光壁３Ｆに囲まれて設けられた光源６と、押釦部材４Ａに設けられて光源６が照射した光Ｌを透す透光部４Ａｂと、を備える。
【００３８】
この押釦構造によれば、光源６が照射した光Ｌを、押釦部材４Ａの透光部４Ａｂを透って正面側に照射させることができる。また、光源６が照射した光Ｌは、第二遮光壁３Ｆに囲まれた内側で照射範囲を絞られ、第二遮光壁３Ｆと第一遮光壁４Ｆとの重なりにより遮られるため、押釦部材４Ａの外縁から光Ｌの漏れを防止できる。
【００３９】
また、本実施形態の電子機器１は、上述した押釦構造を備える。
【００４０】
従って、押釦部材４Ａの一側から支持部材４Ｂが延びて設けられており、この支持部材４Ｂが取付部材４Ｃで正面パネル３に取り付けられている。また、弾性部材により、押釦部材４Ａが押圧操作された際の反力が得られる。この結果、押釦部材４Ａの押圧操作の範囲を押釦部材４Ａ全体とすることができ、電子機器１を操作する押釦部材４Ａの押圧操作の範囲を広く確保できる。
【符号の説明】
【００４１】
１  電子機器
３  正面パネル
３Ｆ  第二遮光壁
３Ｇ  弾性片（弾性部材）
４Ａ  押釦部材
４Ａｂ  透光部
４Ｂ  支持部材
４Ｃ  取付部材
４Ｄ  弾性部（弾性部材）
４Ｅ  付勢部
４Ｆ  第一遮光壁
６  光源
【図１】
2020194690.tif 000003
【図２】
2020194690.tif 000004
【図３】
2020194690.tif 000005
【図４】
2020194690.tif 000006
【図５】
2020194690.tif 000007
【図６】
2020194690.tif 000008
【図７】
2020194690.tif 000009